(57)【要約】  【課題】第１のフレームを第２のフレームに着脱可能に組み付けてなり、これら両フレームにより転写ヘッドを挟持している転写具において、転写作業時に両フレームの先端部分が互いに離間して隙間が形成されることを把持態様に関わらず防止又は抑制するための把持部の態様に関する設計の自由度を向上させる。  【解決手段】第１のフレームたるリフィル部のフレーム１２０には転写物を転写テープから転写対象面に転写するための転写ヘッド１２５が固定して設けられ、第２のフレームたるベース部のフレーム１１０にはこれら両フレーム１２０、１１０を組み付けた状態で前記転写ヘッド１２５を支持するヘッド支持部１１４が設けられ、前記転写ヘッド１２５及び前記ヘッド支持部１１４には、前記両フレーム１２０、１１０が平行状態で離反できないように係合状態を維持する誘導係合部４を設ける構成を採用した。【選択図】図２６
2019119159.tif 000002
【特許請求の範囲】
【請求項１】
第１のフレームを第２のフレームに着脱可能に組み付けてなる転写具であって、
前記第１のフレームには転写物を転写テープから転写対象面に転写するための転写ヘッドが固定して設けられ、前記第２のフレームにはこれら両フレームを組み付けた状態で前記転写ヘッドを支持するヘッド支持部が設けられ、
前記転写ヘッド及び前記ヘッド支持部には、前記両フレームが平行状態で離反できないように係合状態を維持する誘導係合部が設けられている転写具。
【請求項２】
前記誘導係合部は、前記第１及び第２のフレームの一方に設けられた誘導溝と、他方に設けられ前記誘導溝に係合するとともに当該誘導溝に沿って移動可能な係合突起とを備えたものであり、
前記誘導溝は、両フレームが平行状態で離反する動作以外の所定相対動作を行うことを許容する形状をなしている請求項１記載の転写具。
【請求項３】
前記ヘッド支持部が、前記転写ヘッドの基部を挟み込むように設けられた１対の前後に開通した支持壁を備えたものであり、
前記誘導係合部が、前記転写ヘッドの基部に設けられた前記誘導溝と、前記支持壁の内面側に設けられた前記係合突起とを備えたものである請求項２記載の転写具。
【請求項４】
前記誘導溝が、前記第１のフレームと前記第２のフレームとを相対回転させることにより離反できるように誘導する円弧状の溝である請求項２又は３記載の転写具。
【請求項５】
前記転写ヘッドを備えた転写具本体を具備し、前記転写具本体が、ベース部と、このベース部に着脱可能なリフィル部とを備えたものであって、
前記リフィル部のフレームが前記第１のフレームであり、前記ベース部のフレームが前記第２のフレームである請求項１、２、３又は４記載の転写具。
【請求項６】
前記転写ヘッドが設けられた前記第１のフレームと、この第１のフレームに着脱可能に組み付けられる前記第２のフレームとを備えた転写具であって、
前記第２のフレームを離脱させた上で前記第１のフレームに対して転写テープを巻装したリールを挿脱しうるように構成された請求項１、２、３又は４記載の転写具。
【発明の詳細な説明】
【技術分野】
【０００１】
本発明は、粘着剤や修正テープ、顔料等の転写物を紙面その他の転写対象面に転写するために使用される転写具に関する。
【背景技術】
【０００２】
従来、この種の転写具として、半割構造をなす第１のフレームと第２のフレームとを着脱可能に組み合わせたものが知られている。具体的には、前記第１のフレームに転写ヘッドや転写テープが巻装された繰出リール及び巻取リール等を保持させてリフィル部を構成するとともに、前記第２のフレームに前記繰出リールと前記巻取リールとを連動させるための歯車伝動機構等を装着してベース部を構成したリフィルタイプの転写具が種々開発されている（例えば、非特許文献１参照）。
【０００３】
ところで、このような転写具では、第１のフレームに固設された前記転写ヘッドの基部を第２のフレームに設けられた位置決め凹部に嵌合させただけのものであるため、転写ヘッドによりリフィル部のフレームとベース部のフレームとを離間しないように結合する機能は有していない。すなわち、リフィル部をベース部から平行姿勢のまま離間させようとすると、前記転写ヘッドの基部が前記位置決め凹部から抵抗なく抜出してその動作を許容することになる。
【０００４】
そのため、かかる基本構造を有したものにおいては、先端部を把持して転写作業を行う場合には問題が生じないが、先端部以外の部分を把持して転写作業を行う態様をとると、転写ヘッドを転写対象面に押し付けつつ転写作業を行う際に、その荷重のかかり具合によっては両フレームの先端部分が互いに離間して隙間が形成されることがある。そこで、どのような位置をどのような態様で把持してもよいようにすべく、把持部の態様に関する設計の自由度を向上させるという要望が存在する。
【０００５】
なお、かかる要望は、以上説明したリフィルタイプのものに限られず、半割構造の外装フレームを備えたもの一般において存在する。
【先行技術文献】
【非特許文献】
【０００６】
【非特許文献１】株式会社トンボ鉛筆、“ピットテープＭ｜株式会社  トンボ鉛筆”、[online]、平成29年、株式会社トンボ鉛筆、［平成29年12月8日検索］、インターネット<URL:http://www.tombow.com/products/pittape_m/>
【発明の概要】
【発明が解決しようとする課題】
【０００７】
本発明は、上述した要望に対応することを所期の目的としている。
【課題を解決するための手段】
【０００８】
上述した課題を解決するべく、本発明では、第１のフレームを第２のフレームに着脱可能に組み付けてなる転写具であって、前記第１のフレームには転写物を転写テープから転写対象面に転写するための転写ヘッドが固定して設けられ、前記第２のフレームにはこれら両フレームを組み付けた状態で前記転写ヘッドを支持するヘッド支持部が設けられ、
前記転写ヘッド及び前記ヘッド支持部には、前記両フレームが平行状態で離反できないように係合状態を維持する誘導係合部が設けられている転写具を構成した。
【０００９】
前記誘導係合部は、前記第１及び第２のフレームの一方に設けられた誘導溝と、他方に設けられ前記誘導溝に係合するとともに当該誘導溝に沿って移動可能な係合突起とを備えたものであり、前記誘導溝は、両フレームが平行状態で離反する動作以外の所定相対動作を行うことを許容する形状をなしていることがある。
【００１０】
前記ヘッド支持部が、前記転写ヘッドの基部を挟み込むように設けられた１対の前後に開通した支持壁を備えたものであり、前記誘導係合部が、前記転写ヘッドの基部に設けられた前記誘導溝と、前記支持壁の内面側に設けられた前記係合突起とを備えたものであれば、転写ヘッドの後端部分を支持するための支持要素を省略して省スペースを図ることができる。
【００１１】
前記誘導溝の具体的な態様の一例として、前記第１のフレームと前記第２のフレームとを相対回転させることにより離反できるように誘導する円弧状の溝が挙げられる。
【００１２】
また、上述したような転写具を実現するための構成の一例として、前記転写ヘッドを備えた転写具本体を具備し、前記転写具本体が、ベース部と、このベース部に着脱可能なリフィル部とを備えたものであって、前記リフィル部のフレームが前記第１のフレームであり、前記ベース部のフレームが前記第２のフレームであるものが挙げられる。
【００１３】
さらに、上述したような転写具を実現するための構成の他の一例として、前記転写ヘッドが設けられた前記第１のフレームと、この第１のフレームに着脱可能に組み付けられる前記第２のフレームとを備えた転写具であって、前記第２のフレームを離脱させた上で前記第１のフレームに対して転写テープを巻装したリールを挿脱しうるように構成されたものが挙げられる。
【発明の効果】
【００１４】
本発明によれば、上述した要望に対応することができる。
【図面の簡単な説明】
【００１５】
【図１】本発明の一実施形態の転写具を示す斜視図。
【図２】同実施形態の転写具の操作ボタンを示す斜視図。
【図３】同実施形態の転写具の外ケースを回転させて転写ヘッドを露出させた状況を示す斜視図。
【図４】同実施形態の転写具の外ケースを回転させて第一の使用状態とした状況を示す斜視図。
【図５】同実施形態の転写具の外ケースを回転させて第二の使用状態とした状況を示す斜視図。
【図６】同実施形態の転写具の外ケースを展開した状況を示す斜視図。
【図７】同実施形態の転写具のリフィル部をベース部から取り外した状況を示す分解斜視図。
【図８】同実施形態の転写具の外ケースのヒンジを示す斜視図。
【図９】同実施形態の転写具の外ケースのヒンジを示す側断面図。
【図１０】同実施形態の転写具の外ケースのヒンジを示す斜視図。
【図１１】同実施形態の転写具の転写具本体及び第一ケース部材を示す側断面図。
【図１２】同実施形態の転写具の第一ケース部材、カバー、ロック機構及び変換機構を示す平面図。
【図１３】同実施形態の転写具の第一ケース部材、カバー、ロック機構及び変換機構を示す平面図。
【図１４】同実施形態の転写具の第一ケース部材、カバー、ロック機構及び変換機構を示す平面図。
【図１５】同実施形態の転写具の第一ケース部材、カバー、ロック機構及び変換機構を示す平面図。
【図１６】同実施形態の転写具の変換機構の歯車を示す分解斜視図。
【図１７】同実施形態の転写具の変換機構の歯車を示す平断面図。
【図１８】同実施形態の転写具の転写具本体のフレーム及び外ケースを示す平断面図。
【図１９】同実施形態の転写具の係留機構を示す正断面図。
【図２０】同実施形態のリフィル部の先端部分を一部省略して示す部分底面図。
【図２１】同部分を斜め後下側から見上げた部分斜視図。
【図２２】同実施形態のベース部の先端部分を一部省略して示す部分平面図。
【図２３】同部分を斜め後上側から見下した部分斜視図。
【図２４】同実施形態の作用説明図。
【図２５】図２４におけるＸ−Ｘ線に対応する概略端面図。
【図２６】同実施形態の作用説明図。
【図２７】図２６におけるＹ−Ｙ線に対応する概略端面図。
【図２８】同実施形態の作用説明図。
【図２９】図２８におけるＺ−Ｚ線に対応する概略端面図。
【発明を実施するための形態】
【００１６】
本発明の一実施形態を、図面を参照して説明する。図１ないし図２９に示す本実施形態の転写具は、例えば粘着剤や修正テープ、顔料等の転写物を転写テープ１２６から紙面その他の転写対象面に転写するための転写ヘッド１２５を備えた転写具本体１と、転写具本体１に装着されてこれを覆う外ケース２とを具備してなる。そして、外ケース２が転写具本体１に対して相対的に回転移動することにより、図１及び図２に示すように転写具本体１及び転写ヘッド１２５が外ケース２内に収納される非使用状態と、図４及び図５に示すように転写具本体１の転写ヘッド１２５が外ケース２外に露出する使用状態とをとり得るものである。
【００１７】
図６、図７及び図１１に示すように、転写具本体１は、転写対象面に転写されるべき転写物が付着している（即ち、転写物を支持している）転写テープ１２６を繰り出す繰出リール１２４と、繰出リール１２４から繰り出される転写テープ１２６が巻き掛けられる転写ヘッド１２５と、転写ヘッド１２５を経由した後の転写テープ１２６を巻き取る巻取リール１２３と、繰出リール１２４の回転と巻取リール１２３の回転とを連動させる歯車伝動機構とを備えている。本実施形態の転写具を使用する際には、転写ヘッド１２５が外ケース２の外部に露出する使用状態とした後、外ケース２の把持部を把持し、転写ヘッド１２５を転写対象面に対して押圧しながら、転写具を転写対象面に対して相対的に変位させる。さすれば、巻取リール１２３が繰り出された転写テープ１２６の外表面に付着している転写物を、転写テープ１２６から転写対象面に転写することができる。転写物が剥離し除去された使用済みの転写テープ１２６は、巻取リール１２３に巻き取られる。
【００１８】
外ケース２は、第一ケース部材２１及び第二ケース部材２２を要素とした半割構造をなす。外ケース２は、繰出リール１２４及び巻取リール１２３の回転軸の伸びる方向に沿って見た平面視において、基端側が円形で先端側に向かって徐々に先細りとなる略涙滴状の外形を有している。その基端側の円弧状の輪郭の中心が、当該外ケース２の転写具本体１に対する相対的な回転移動の中心となっており、外ケース２は繰出リール１２４及び巻取リール１２３の回転軸と略平行に伸びる軸回りに正逆回転する。
【００１９】
第一ケース部材２１は、平面視略涙滴状をなす底壁２１１と、底壁２１１の外周縁から起立する周壁２１２とを有した樹脂一体成形品である。並びに、第二ケース部材２２は、平面視略涙滴状をなし第一ケース部材２１の底壁２１１と対向する頂壁２２１と、頂壁２２１の外周縁から垂下して第一ケース部材２１の周壁と突合する周壁２２２とを有した樹脂一体成形品である。外ケース２の基端側にある底壁２１１及び頂壁２２１は、転写具を使用する使用者が把持することのできる把持部となる。
【００２０】
外ケース２の周壁２１２、２２２は、当該外ケース２の全周に亘って連続してはおらず、一部が切り欠かれている。具体的には、外ケース２の先端側から基端側に向かって直線的に延びる一方の側辺、及び外ケース２の部分円筒状をなす基端側の外周、他方の側辺近傍までの領域が開口している。この開口部２３は、外ケース２の内部空間を外側方に連通せしめるとともに、転写具本体１の転写ヘッド１２５を含む先端側を出し入れするための出入口となる。
【００２１】
周壁２１２、２２２の切り欠かれていない部分は、外ケース２の内部空間を外側方から遮蔽する閉塞部となる。閉塞部は、外ケース２の先端部位、及び外ケース２の先端側から基端側に向かって直線的に延びる他方の側辺を含む。その上で、この直線状に拡張する部位に、第一ケース部材２１と第二ケース部材２２とを相対回動可能に連結するヒンジ２４を付設している。
【００２２】
第二ケース部材２２は、第一ケース部材２１に対し、外ケース２の他方の側辺の延びる方向（閉塞部の拡張する方向）に略平行な軸回りに回動する。そして、図１ないし図５に示すように両ケース部材２１、２２が重なり合い外ケース２が閉じた状態となる閉成姿勢と、図６及び図７に示すように両ケース部材２１、２２が離反して外ケース２が開いた状態となる展開姿勢とをとり得る。回転軸の方向は、繰出リール１２４及び巻取リール１２３の回転軸の方向に対して略垂直である。第二ケース部材２２が第一ケース部材２１に対して展開姿勢をとるとき、平面視転写具本体１の全域が外ケース２に覆われることなく露出する。
【００２３】
本実施形態におけるヒンジ２４は、第一ケース部材２１及び第二ケース部材２２の各々とは別体をなす樹脂成形品である。図８ないし図１０に示すように、ヒンジ２４は、第一ケース部材２１における閉塞部を構成する周壁２１２に固定される第一の取付部２４１と、第二ケース部材２２における閉塞部を構成する周壁２２２に固定される第二の取付部２４２と、これら一対の取付部２４１、２４２を相対回動可能に連結する連結部２４３と、連結部２４３とは別に両取付部２４１、２４２に跨って設けられ両取付部２４１、２４２を弾性付勢するばね部２４４とを有している。
【００２４】
外ケース２が閉成姿勢をとるとき、第一ケース部材２１の周壁２１２と第二ケース部材２２の周壁２２２とが互いに略面一となり、故にヒンジ２４の第一の取付部２４１と第二の取付部２４２とが互いに略面一となる。このとき、図８及び図９に示すように、連結部２４３は外ケース２の外側方に向かって突き出すような湾曲形状をなす。翻って、外ケース２が展開姿勢をとるとき、第一ケース部材２１の周壁２１２と第二ケース部材２２の周壁２２２とが優角をなすように拡開し、故にヒンジ２４の第一の取付部２４１と第二の取付部２４２とが優角をなすように拡開する。このとき、図１０に示すように、連結部２４３は外ケース２の内側方に向かって突き出すような湾曲形状をなす。
【００２５】
ヒンジ２４の各取付部２４１、２４２は、第一ケース部材２１及び第二ケース部材２２の各々の周壁２１２、２２２の内側に取り付けられる。図２及び図５に示しているように、ヒンジ２４（の取付部２４１、２４２、連結部２４３及びばね部２４４）は、外ケース２の周壁２１２、２２２の外側面よりも外側方には突出しない。
【００２６】
第二ケース部材２２が閉成姿勢と展開姿勢との間の思案点よりも第一ケース部材２１に近いと、ヒンジ２４のばね部２４４は第二ケース部材２２を閉成姿勢若しくはその近傍に向けて（即ち、外ケース２を閉じる方向に）弾性付勢する。これに対し、第二ケース部材２２が思案点よりも第一ケース部材２１から離れていると、ばね部２４４は第二ケース部材２２を展開姿勢若しくはその近傍に向けて（即ち、外ケース２を開く方向に）弾性付勢する。このように、ヒンジ２４はスナップヒンジとしての作用を営む。
【００２７】
第二の取付部２４２を第一の取付部２４１に対して回動させる過程で、換言すれば第二ケース部材２２を第一ケース部材２１に対して回動させる過程で、連結部２４３の突き出す方向は外ケース２の外側方から内側方に変化し、あるいは逆に外ケース２の内側方から外側方に変化する。連結部２４３の突き出す方向が変化する付近が、外ケース２の閉成姿勢と展開姿勢との中間の思案点である。
【００２８】
転写具本体１は、外ケース２の第一ケース部材２１に離脱不能に取り付けられているベース部１１と、このベース部１１に着脱可能に取り付けられるとともに転写テープ１２６を保持するリフィル部１２とを要素とする。図７に示すように、リフィル部１２は、転写テープ１２６を巻く繰出リール１２４及び巻取リール１２３、並びに転写ヘッド１２５を、一体のフレーム１２０に支持させてなる。本実施形態の転写具では、このリフィル部１２が、消費された転写物を補給するために交換されるリフィルとなる。転写テープ１２６の交換に際して付け外しされるのがリフィル部１２に限定されており、ベース部１１は交換しない、即ち転写具本体１全体を交換せずに済むことから、廃棄部品を減らすことができる。
【００２９】
ベース部１１は、繰出リール１２４と巻取リール１２３とを連動させる歯車伝動機構、転写具の非使用時に転写ヘッド１２５及び転写テープ１２６を汚損から保護するためのカバー（または、シャッタ）１４、並びに外ケース２を転写具本体１に対して回転移動させる際に押下操作される操作部材１５を、一体のフレーム１１０に支持させてなる。
【００３０】
転写具本体１の外殻は、リフィル部１２のフレーム１２０及びベース部１１のフレーム１１０を要素とした半割構造をなす。図６に示すように、転写具本体１の外殻は、平面視において、基端側が円形で先端側に向かって徐々に先細りとなる略涙滴状の外形を有している。その基端側の円弧状の輪郭の中心が、外ケース２の転写具本体１に対する相対的な回転移動の中心となる。
【００３１】
ベース部１１のフレーム１１０は、平面視略涙滴状をなす底壁１１１と、底壁１１１の外周縁から起立する周壁１１２とを有した樹脂一体成形品である。並びに、リフィル部１２のフレーム１２０は、平面視略涙滴状をなしベース部１１の底壁１１１と対向する頂壁１２１と、頂壁１２１の外周縁から垂下してベース部１１の周壁１１２と突合する周壁１２２とを有した樹脂一体成形品である。
【００３２】
転写具本体１の外殻の周壁１１２、１２２は、当該転写具本体１の全周に亘って連続してはおらず、一部が切り欠かれている。特に、転写具本体１の先端側、及びその先端側から基端側に向かって直線的に延びる一方の側辺の部分が開口している。この開口部１３には、カバー１４が配置される。リフィル部１２のフレーム１２０に支持させた転写ヘッド１２５は、転写具本体１の外殻の先端側よりも先方に位置している。
【００３３】
既に述べた通り、転写具本体１のリフィル部１２は、ベース部１１に対して着脱自在となっている。具体的には、図７及び図１１に示しているように、リフィル部１２のフレーム１２０の頂壁１２１からベース部１１に向けて突出する係合片１２７を、ベース部１１のフレーム１１０に設けられた被係合部１１５に挿入して係合させる。なおかつ、リフィル部１２のフレーム１２０に支持された繰出リール１２４及び巻取リール１２３の内周に、ベース部１１のフレーム１１０に設けられた支軸１１６、１１７を各々嵌入することで、リフィル部１２をベース部１１に組み付けることができる。
【００３４】
リフィル部１２をベース部１１に取り付けたとき、巻取リール１２３に一体的に形成されている歯車１２３１が、ベース部１１に配設された歯車伝動機構の所定の歯車１１３に噛合する。歯車伝動機構は、ベース部１１のフレーム１１０に回転可能に支持された一または複数の歯車を要素に含み、そのうちの一つの歯車１１３が繰出リール１２４と同軸となるとともに、繰出リール１２４及びこれと係合する支軸１１７の回転を巻取リール１２３に伝動する。本実施形態では、歯車伝動機構の歯車１１３が支軸１１７に一体的に形成され、この歯車１１３が直接に巻取リール１２３の歯車１２３１に噛合する。だが、支軸１１７側の歯車１１３と巻取リール１２３側の歯車１２３１との間に、別の歯車を介在させても構わない。その場合、当該歯車は、歯車伝動機構の要素の一つとして、予め歯車１１３に噛合した状態で歯車１１３とともにベース部材１１に配設されることとなる。
【００３５】
支軸１１７は、その先端部に滑りクラッチ（または、摩擦クラッチ）１１８を有しており、この滑りクラッチ１１８を介して繰出リール１２４に係合し、繰出リール１２４を支持する。滑りクラッチ１１８は、繰出リール１２４と歯車１１３との間に介在し、これら両者の回転速度差を許容しつつ、両者の間でトルクを伝達する。滑りクラッチ１１８は、転写テープ１２６が消費されるにつれて、即ち繰出リール１２４から繰り出され巻取リール１２３に巻き取られるにつれて変化する、繰出リール１２４の回転速度と巻取リール１２３の回転速度との差を吸収する。
【００３６】
ベース部１１に装着したリフィル部１２のフレーム１２０の頂壁１２１の上面は、閉成姿勢をとる外ケース２の第二ケース部材２２の頂壁２２１の下面に当接または近接する。図６に示すように、頂壁１２１の上面には、軸孔１２１１及び長孔１２１２が形成されている。軸孔１２１１は、平面視外ケース２の転写具本体１に対する相対回転移動の中心に位置しており、長孔１２１２は、平面視その中心と同心の部分円弧状をなす。第二ケース部材２２の頂壁２２１の下面からは、係合突起２２１１、２２１２が突き出しており、外ケース２の第二ケース部材２２を閉成姿勢としたときに、各係合突起２２１１、２２１２が軸孔１２１１及び長孔１２１２にそれぞれ挿入されてこれらに係合する。係合突起２２１１と軸孔１２１１との係合、及び係合突起２２１２と長孔１２１２との係合は、外ケース２の転写具本体１に対する相対回転移動の妨げとならない。
【００３７】
ベース部１１のフレーム１１０の底壁１１１の下面は、外ケース２の第一ケース部材２１の底壁２１１の上面に当接または近接する。図１１に示すように、底壁１１１には、これを貫通する係止孔１１１１が形成されている。係止孔１１１１は、平面視外ケース２の転写具本体１に対する相対回転移動の中心に位置している。そして、第一ケース部材２１の底壁２１１の上面からは、係止突起２１１１が突き出している。係止突起２１１１は、係止孔１１１１に挿入されてこれに係合する。係止突起２１１１の先端部には、当該係止突起２１１１の係止孔１１１１に対する挿入方向と略直交する方向に突き出した爪２１１２が存在し、この爪２１１２が抜け止めとなって、一旦係止孔１１１１に挿入された係止突起２１１１は係止孔１１１１から容易に抜出することはない。従って、ベース部１１の底壁１１１は、第一ケース部材２１の底壁２１１から離反することができない。つまり、転写具本体１のベース部１１は、外ケース２の第一ケース部材２１から離脱しない。また、係止突起２１１１と係止孔１１１１との係合は、外ケース２の転写具本体１に対する相対回転移動の妨げとならない。
【００３８】
図１ないし図５及び図１８に示すように、転写具本体１の基端側における部分円筒状をなす外殻の周壁１１２、１２２の外面には、僅かながら凹んだ凹部１８１、１８２を形成してある。平面視または平断面視において、これら凹部１８１、１８２は、外ケース２の転写具本体１に対する相対的な回転移動の中心に対称な二箇所に所在する。なお、図１８では、簡明化のため、外ケース２、転写具本体１のフレーム１１０、カバー１４、ヒンジ２４及び転写ヘッド１２５以外の内部構造の図示を省略している。図１及び図２に示す非使用状態にあって、転写具本体１の基端側の周壁１１２、１２２及び凹部１８１、１８２は、外ケース２の開口部２３を介して表出している。使用者は、各凹部１８１、１８２に指を掛け、転写具本体１の基端側の周壁１１２、１２２を二本の指で摘まむように保持して、転写具本体１を外カバー２に対して回転させる操作を行うことができる。
【００３９】
本実施形態の転写具は、図１及び図２に示す非使用状態と、図４に示す第一の使用状態と、図５に示す第二の使用状態とを選択的にとり得る。非使用状態では、転写具本体１及び転写ヘッド１２５が外ケース２内に収容される。より詳しくは、平面視において転写ヘッド１２５が閉成姿勢をとる外ケース２の外周（及び、周壁２１２、２２２）よりも内側に収まり、転写ヘッド１２５を含む転写具本体１の全域が同外ケース２の底壁２１１及び頂壁２２１に遮蔽される。そして、転写ヘッド１２５を転写対象面に接触させようとしても、外ケース２が転写対象面に干渉して、転写ヘッド１２５を転写対象面に接触させることができない。
【００４０】
のみならず、非使用状態では、転写具本体１のベース部１１のフレーム１１０に支持されているカバー１４が、外ケース２の先端部にある周壁２１２、２２２に（即ち、開口部２３の端縁に）当接または極近接する閉位置まで進出する。外ケース２の開口部２３は、外ケース２の基端側から一方の側辺に沿って先端部付近まで拡張している。このことから、非使用状態にあっては、外ケース２の先端部の周壁２１２、２２２と転写具本体１の外殻の周壁１１２、１２２との間に空隙が形成される。だが、カバー１４が、転写具本体１の先端部に所在する転写ヘッド１２５の側方まで進出してこの空隙を閉じ、外ケース２の外部からの転写ヘッド１２５への接触を阻む。カバー１４の存在により、転写具の非使用時に塵や埃が外ケース２内に侵入して転写ヘッド１２５や転写テープ１２６に付着することが抑制される。
【００４１】
第一の使用状態及び第二の使用状態では、転写具本体１の先端側及び転写ヘッド１２５が外ケース２外に露出する。このとき、カバー１４は、転写ヘッド１２５の側方から変位し、転写ヘッド１２５と転写対象面との当接を妨げない開位置まで退避する。第一の使用状態は、非使用状態から外ケース２を転写具本体１に対し一定角度だけ相対回転移動させた状態であり、第二の使用状態は、この第一の使用状態からさらに外ケース２を同一方向に一定角度だけ相対回転移動させた状態である。
【００４２】
しかして、本実施形態の転写具には、外ケース２を転写具本体１に対して、非使用状態、第一の使用状態及び第二の使用状態の何れかの位置に保定することを可能とするロック機構が実装されている。
【００４３】
詳述すると、図１１ないし図１５に示すように、第一ケース部材２１の底壁２１１の上面に、ベース部１１の底壁１１１に向かって突出する凸条２１３１が形成されている。この凸条２１３１は、平面視外ケース２の転写具本体１に対する相対回転移動の中心と同心の部分円弧状をなすレール２１４となる領域を囲繞している。加えて、外側にある凸条２１３１の内周面の一部を、外ケース２の転写具本体１に対する相対回転移動の中心に向けて膨出または突出させることで、複数の保定位置２１５、２１６、２１７を構成している。
【００４４】
他方、転写具本体１のベース部１１には、外ケース２の転写具本体１に対する保定を実現するとともにその保定を解除するために操作される操作部材１５が設けられる。操作部材１５は、ベース部１１の底壁１１１の所定部位から突出するピン１１９１に嵌まるように組み付けられる。そして、このピン１１９１と係合する位置から、支軸１１７に支持される繰出リール１２４と支軸１１６に支持される巻取リール１２３との間に向かうように、腕部１５５が伸長している。腕部１５５の先端は、ベース部１１の底壁１１１から突出する支え突起１１９２に掛かる。さらに、ピン１１９１と係合する位置から、ベース部１１のフレーム１１０の先端側に向かって、かつベース部１１の周壁１１２に沿うように、基部１５１が拡張している。
【００４５】
操作部材１５の基部１５１における、第一ケース部材２１の底壁２１１に形成されたレール２１４の直上に位置する部位には、第一ケース部材２１の底壁２１１に向かってストッパ突起１５４が突出している。図１６に示しているように、ストッパ突起１５４は、転写具本体１のベース部１１の底壁１１１に穿たれた長孔１１９３を介して底壁１１１を貫通し、第一ケース部材２１の底壁２１１に形成されたレール２１４内に収まる。
【００４６】
上記の保定位置２１５、２１６、２１７及びストッパ突起１５４が、ロック機構の要素となる。即ち、ストッパ突起１５４が何れかの保定位置２１５、２１６、２１７に係合することにより、外ケース２（の第一ケース部材２１）の転写具本体１（のベース部１１のフレーム１１０）に対する相対回転移動が制止され、外ケース２が非使用状態、第一の使用状態及び第二の使用状態の何れかの位置に保定される。図１２は非使用状態を、図１４は第一の使用状態を、図１５は第二の使用状態を、それぞれ表している。ストッパ突起１５４が挿通される長孔１１９３は、平面視ピン１１９１を中心とした円弧に近い軌跡に沿って拡張している。
【００４７】
基部１５１の一部は、使用者の手により押下操作される押下ボタン１５２となっている。押下ボタン１５２は、転写具本体１の外殻の周壁１１２、１２２、特にベース部１１の周壁１１２に予め形成された窓１６１から転写具本体１の外側方に向けて表出する。但し、押下ボタン１５２が常に使用者の手指の届く位置に露出しているとは限らない。図２及び図１２に示す非使用状態では、押下ボタン１５２は外ケース２の周壁２１２、２２２（の直線状に拡張する部位）に遮られて隠蔽されており、使用者の手指でこれを視認することも、これに触れることも困難である。対して、図１４及び図１５に示す使用状態では、押下ボタン１５２が外ケース２の開口部２３から、または外ケース２外に露出するようになり、使用者がこれを視認でき、使用者の手指で容易にこれに触れることが可能となる。
【００４８】
図１２ないし図１５に示しているように、平面視または平断面視において、操作部材１５は、押下ボタン１５２を除き、転写具本体１の周壁１１２、１２２の内側、支軸１１７に支持される繰出リール１２４と支軸１１６に支持される巻取リール１２３との間の空間に収まっている。
【００４９】
ロック機構による、外ケース２の転写具本体１に対する保定、即ち相対回転移動の制止を解除するためには、転写具本体１の周壁１１２の窓１６１から表出している押下ボタン１５２を押下してこれを没入させる。さすれば、操作部材１５の基部１５１が、押下ボタン１５２及びストッパ突起１５４とともに、ベース部１１のフレーム１１０に対して、ピン１１９１を中心に回動するように変位する。同時に、基部１５１に形成されたストッパ突起１５４が、拡張している長孔１１９３に沿って、外ケース２の転写具本体１に対する相対回転移動の中心に近づく方向、即ち外側にある凸条２１３１の内周面から離反する方向に変位する。結果、ストッパ突起１５４が保定位置２１５、２１６、２１７から離脱して、外ケース２の転写具本体１に対する相対回動移動が解禁される。
【００５０】
また、このとき、操作部材１５が弾性変形して反力を蓄える。特に、根元がピン１１９１により変位不能に軸支されている基部１５１が、腕部１５５に接近するように撓み変形して曲がる。一方で、腕部１５５は支え突起１１９３に係合しており、腕部１５５が多少変形することはあっても、基部１５１と同程度に変位することは阻まれる。故に、操作部材１５全体がピン１１９１を中心に回動することはない。
【００５１】
使用者が押下ボタン１５２を押下しなくなると、ばねとして機能する操作部材１５が蓄えた弾性反力によって、基部１５１が、押下ボタン１５２及びストッパ突起１５４とともに、ピン１１９１を中心に逆方向に回動するように変位する。そして、基部１５１の撓み変形が緩和ないし解消される。同時に、基部１５１に形成されたストッパ突起１５４が、拡張している長孔１１９３に沿って、外ケース２の転写具本体１に対する相対回転移動の中心から遠ざかる方向、即ち外側にある凸条２１３１の内周面に接近する方向に変位する。結果として、再びストッパ突起１５４が何れかの保定位置２１５、２１６、２１７に係合可能となり、使用者が外ケース２を回転させることで任意の使用状態または非使用状態に外ケース２を保定できるようになる。外ケース２が転写具本体１に対して回動移動する際には、ストッパ突起１５４が凸条２１３１の内周面に対して摺動しながらレール２１４内を移動し、保定位置２１５、２１６、２１７に到達したときに当該保定位置２１５、２１６、２１７に嵌まり込む。
【００５２】
押下ボタン１５２は、外ケース２外に露出している転写具本体１及び転写ヘッド１２５の外ケース２に対する相対的な角度を変更するために押下操作される。転写具を使用する使用者は、転写具本体１の転写ヘッド１２５を転写対象面に対して押圧する。その反作用で、転写具本体１には、当該転写具本体１を第一の使用状態から第二の使用状態に向かわせる方向の力が加わる。図４及び図１４に示す第一の使用状態において、ロック機構を構成するストッパ突起１５４と保定位置２１６との係合は、転写具の使用中に転写具本体１が外ケース２に対して意図せず回転することを制止する。使用者が押下ボタン１５２を押下すると、外ケース２の転写具本体１に対する保定が解除され、外ケース２または転写具本体１を第一の使用状態から図５及び図１５に示す第二の使用状態に向けて回転移動させることが可能となる。
【００５３】
特に、図１４に示しているように、使用者が押下ボタン１５２を押下するときに当該押下ボタン１５２が受ける操作力Ｐは、転写ヘッド１２５を備える転写具本体１の先端部が第一の使用状態から第二の使用状態に向かって回転する方向Ｒに沿った、換言すれば方向Ｒに平行な分力を含む。換言すれば、使用者が押下ボタン１５２を押す方向Ｐと、転写具本体１を第一の使用状態から第二の使用状態に向けて回転させるべくこれを押す方向Ｒとが近くなっている。よって、自然な操作で第一の使用状態から第二の使用状態へと遷移することができる。
【００５４】
外ケース２または転写具本体１を、第二の使用状態から第一の使用状態または非使用状態に向けて回転移動させるときには、必ずしも押下ボタン１５２を押下する必要はない。外ケース２を転写具本体１に対して勢いよく回転させれば、ストッパ突起１５４が保定位置２１６に深く嵌まり込む前にこれを通過させることが可能である。とは言え、転写具本体１及び転写ヘッド１２５を外ケース２内に収納するときに、押下ボタン１５２を押下しても構わない。
【００５５】
転写具の非使用時に転写ヘッド１２５及び転写テープ１２６を保護するカバー１４は、外ケース２の転写具本体１に対する相対回転移動に連動して開閉する。図１２ないし図１５に示すように、第一ケース部材２１の底壁２１１の上面には、ベース部１１の底壁１１１に向かって突出する凸条２１３２が形成されている。凸条２１３２は、平面視レール２１４よりも内側にあって、外ケース２の転写具本体１に対する相対回転移動の中心と同心の円弧状またはＣ字形をなしている。凸条２１３２の突出高さは、レール２１４を囲繞する凸条２１３１のそれよりも高い。
【００５６】
この凸条２１３２の外周面の一部には、歯２１８が存在している。歯２１８は、転写具本体１のベース部１１のフレーム１１０に支持された歯車１７に噛合する。図１６に示しているように、歯車１７は、ベース部１１の底壁１１１における第一ケース部材２１の底壁２１１に臨む面に現れるように設けられている。さらに、この歯車１７が、ベース部１１のフレーム１１０にスライド可能に支持されているカバー１４に形成されたラック歯１４１に噛合する。
【００５７】
上記の歯２１８、歯車１７及びラック歯１４１は、外ケース２と転写具本体１との相対回転移動をカバー１４のスライド移動に変換する変換機構の要素となる。そして、この変換機構は、非使用状態から第一の使用状態までの間でカバー１４をスライド移動させる。具体的には、外ケース２の第一ケース部材２１が転写具本体１のベース部１１に対し、図１、図２及び図１２に示す非使用状態から図４及び図１４に示す第一の使用状態に向かって相対回転移動する過程で、凸条２１３２の外周面の歯２１８が歯車１７を回転させ、回転する歯車１７がカバー１４のフレーム１１０、１２０に対するスライド移動を惹起して、カバー１４を閉位置から開位置に変位させる。
【００５８】
カバー１４が図３及び図１３に示す開位置に至ったとき、歯車１７は、凸条２１３２の外周面における、歯２１８の設けられていない部分に到達する。即ち、使用状態においては、歯車１７と歯２１８とが噛合しない。従って、外ケース２（の第一ケース部材２１）が転写具本体１（のベース部１１）に対してさらに回転移動したとしても、それ以上歯車１７が回転することはなく、カバー１４は開位置にあり続ける。なお、使用状態において歯車１７の歯がカバー１４側の歯１４１と噛合しなくなるような構造とすることを妨げない。
【００５９】
外ケース２の第一ケース部材２１が、転写具本体１のベース部１１に対し、図４及び図１４に示す第一の使用状態に位置づけられたとき、ストッパ突起１５４が、第一の使用状態に対応した保定位置２１６に係合する。同時に、凸条２１３２の外周面に一個または小数個設けられている歯（または、突起）２１９が、歯車１７に噛合（または、係合）する。これにより、外ケース２が第一の使用状態の位置に保定されるとともに、ラック歯１４１に噛合する歯車１７の回転が抑制され、カバー１４に外力が作用したとしても、カバー１４がベース部１１に対してスライド移動することなく開位置に保定される。
【００６０】
さらに、外ケース２の第一ケース部材２１が、転写具本体１のベース部１１に対し、図５及び図１５に示す第二の使用状態に位置づけられたとき、ストッパ突起１５４が、第二の使用状態に対応した保定位置２１７に係合する。同時に、凸条２１３２の外周面に一個または小数個設けられている歯（または、突起）２１０が、歯車１７に噛合（または、係合）する。これにより、外ケース２が第二の使用状態の位置に保定されるとともに、ラック歯１４１に噛合する歯車１７の回転が抑制され、カバー１４に外力が作用したとしても、カバー１４がベース部１１に対してスライド移動することなく開位置に保定される。
【００６１】
外ケース２の第一ケース部材２１が、転写具本体１のベース部１１に対し、第一の使用状態から非使用状態に向かって相対回転移動する過程では、凸条２１３２の外周面の歯２１８が歯車１７を逆回転させ、この歯車１７がカバー１４のベース部１１に対するスライド移動を惹起して、カバー１４が開位置から閉位置に変位することは言うまでもない。
【００６２】
歯車１７に関して補足すると、図１６及び図１７に示すように、歯車１７は、第一歯車要素１７１と第二歯車要素１７２との組となっている。第一歯車要素１７１は、第一ケース部材２１の底壁２１１におけるベース部１１の底壁１１１に臨む面に形成された歯２１８、２１９、２１０に噛合する。第二歯車要素１７２は、ベース部１１のフレーム１１０にスライド可能に支持されているカバー１４に形成された歯１４１に噛合する。平常時、第一歯車要素１７１と第二歯車要素１７２とは一体となって回転し、一体の歯車１７を構成する。
【００６３】
第一歯車要素１７１と第二歯車要素１７２とのうち一方（図示例では、第二歯車要素１７２）には、歯車１７の回転軸の伸びる方向に沿って突出する軸部１７２１が設けられ、他方（図示例では、第一歯車要素１７１）には、当該軸部１７２１が挿入される軸孔１７１１が設けられる。これら軸部１７２１及び軸孔１７１１は、第一歯車要素１７１の回転と第二歯車要素１７２の回転とを連動させ同期させる滑りクラッチ（または、摩擦クラッチ）として機能する。軸孔１７１１の内周には、歯車１７の回転軸と直交する径方向に沿って内方に凹む複数の凹部１７１２が連続的に成形されている。並びに、軸体１７２１の外周には、歯車１７の回転軸と直交する径方向に沿って外方に突き出す凸部１７２２が連続的に成形されている。この凸部１７２２は、軸孔１７１の内周の凹部１７１２の何れかに係合する。また、軸体１７２１は、径方向に沿って内方に弾性変形できるよう、複数の部分に分割されて（図示例では、二分されて）いる。
【００６４】
歯車１７に作用する回転トルクが過大でない平常時には、凹部１７１２と凸部１７２２との係合を通じて第一歯車要素１７１と第二歯車要素１７２との間でトルクが伝達され、第二歯車要素１７２が第一歯車要素１７１に対して相対的に回転せず、両者が一体の歯車１７として回転する。
【００６５】
これに対し、歯車１７に作用する回転トルクが過大となると、軸体１７２１の弾性変形を伴って凸部１７２２が係合している凹部１７１２から脱出し、隣接する凹部１７１２に遷移する。つまり、第一歯車要素１７１と第二歯車要素１７２とを繋ぐクラッチにおいて滑りが生じ、両者の間でトルクが伝達されず、第二歯車要素１７２が第一歯車要素１７１に対して相対的に回転するようになる。故に、第一歯車要素１７１と第二歯車要素１７２とのうちの一方が回転するにもかかわらず、もう一方が回転しない状態となる。
【００６６】
転写テープ１２６を消費したリフィル部１２を新品のリフィル部１２に交換する際には、図６に示しているように外ケース２を開いて展開姿勢とする。第二ケース部材２２が第一ケース部材２１に対して回動するときの回転軸は、外ケース２が転写具本体１に対して回転移動するときの回転軸に直交する仮想的な平面（この仮想平面は、平面視の視線方向と直交する）と略平行である。転写具本体１の基端側における頂壁１２１の外面、及びこの頂壁１２１に臨む第二ケース部材２２の頂壁２２１の内面は、外ケース２が展開姿勢をとるときに露わとなるが、外ケース２が閉成姿勢をとるときには隠蔽される。本実施形態では、転写具本体１の頂壁１２１の外面と第二ケース部材２２の頂壁２２１の内面とのうちの一方または両方に、転写具の使用方法または注意事項を表示するための表示領域１２１３、２２１３が設けられている。
【００６７】
本実施形態の転写具には、転写具本体１のリフィル部１２をベース部１１及び外ケース２に係留する係留機構が実装されている。リフィル部１２をベース部１１及び外ケース２から取り外すためには、この係留機構による係留を解除する必要がある。具体的には、図７及び図１９に示すように、ベース部１１のフレーム１１０に支持されている操作部材１５の基部１５１から、リフィル部１２のフレーム１２０に向かって係留爪１５６が延出している。その爪先１５６１は、リフィル部１２の周壁１２２の内周面に向かって突き出している。他方、リフィル部１２の周壁１２２の内周面における爪先１５６１に臨む部位には、外側方に凹む被係留部１２９が形成されている。
【００６８】
上記の係留爪１５６及び被係留部１２９は、係留機構の要素となる。即ち、リフィル部１２をベース部１１に取り付けているとき、係留爪１５６の爪先１５６１が被係留部１２９の内に差し入ってこれに係合する。そして、リフィル部１２のフレーム１２０をベース部１１のフレーム１１０から引き離すような力が作用したとしても、係留爪１５６の爪先１５６１が被係留部１２９に引っ掛かってリフィル部１２のフレーム１２０を係留するために、リフィル部１２のフレーム１２０が容易にベース部１１のフレーム１１０から引き離されることはない。従って、リフィル部１２がベース部１１及び外ケース２から離脱しない。
【００６９】
リフィル部１２をベース部１１及び外ケース２から取り外すには、まず外ケース２を開いて展開姿勢とし、露出する押下ボタン１５２を押下する。さすれば、操作部材１５の基部１５１とともに、係留爪１５６が、リフィル部１２の周壁１２２の内周面から離反する方向に変位する。結果、係留爪１５６の爪先１５６１が被係留部１２９から離脱して、リフィル部１２のフレーム１２０のベース部１１のフレーム１１０に対する係留が解除される。
【００７０】
しかる後、リフィル部１２のフレーム１２０をベース部１１のフレーム１１０から引き離すようにして、係合片１２７を被係合部１１５から抜出し、かつ巻取リール１２３及び繰出リール１２４を支軸１１６、１１７から脱離させる。これにより、図７に示すように、リフィル部１２をベース部１１から取り外すことができる。その上で、新品のリフィル部１２をベース部１１に取り付け、外ケース２を再び閉じて図１ないし図５に示す閉成姿勢とすればよい。
【００７１】
本実施形態では、転写物を転写テープ１２５から転写対象面に転写するための転写ヘッド１２５を備えた転写具本体１と、転写具本体１を収容する外ケース２とを具備し、外ケース２が転写具本体１に対して相対移動することで、転写具本体１の転写ヘッド１２５が外ケース２に覆われる非使用状態と、転写具本体１の転写ヘッド１２５が外ケース２外に露出する第一の使用状態と、転写具本体１の転写ヘッド１２５が外ケース２外に露出し当該転写具本体１の外ケース２に対する相対的な位置が第一の使用状態とは異なる第二の使用状態とをとり得る転写具であって、前記第一の使用状態において前記外ケース２の前記転写具本体１に対する相対移動を制止するロック機構、及び、使用者の手指により押下されることでロック機構による外ケース２の転写具本体１に対する相対移動の制止を解除する押下ボタン１５２が設けられた転写具を構成した。
【００７２】
本実施形態によれば、転写具の使用時において外ケース２の転写具本体１に対する相対移動を制止する制止力を必要十分に強めることができる。押下ボタン１５２に加わる押下操作力によって制止を解除するロック機構は、単純な凹凸係合構造や節度機構と比較してより大きな制止力を発揮することが可能である。従って、転写具の使用中に外ケース２または転写具本体１に大きな外力が作用したとしても、外ケース２が転写具本体１に対して不意に回転してしまうことを防止でき、転写具としての使いやすさがより一層向上する。外ケース２または転写具本体１を第一の使用状態から第二の使用状態または非使用状態へと遷移させるためには、押下ボタン１５２を押下してロック機構による制止を解除すればよい。
【００７３】
そして、転写具の使用時には、第一の使用状態と第二の使用状態とを任意に選択できる。即ち、転写具本体１に対する外ケース２の位置を、使用者の手になじむ、使いやすい位置に設定することが可能である。
【００７４】
図１４及び図１５に示すように、使用状態では、押下ボタン１５２が転写具の下方かつ転写具全体（転写具本体１の先端部にある転写ヘッド１２５から外ケース２の先端部まで）の中間あたりに位置している。このため、使用者が転写具を把持して転写ヘッド１２５を転写対象面に押圧する操作において、使用者の手指が誤って押下ボタン１５２を押すことがない。
【００７５】
前記押下ボタン１５２は、前記非使用状態において前記外ケース２により遮蔽されて露出せず、当該非使用状態から外ケース２が前記転写具本体１に対して相対移動することで外ケース２外に露出するものであるため、非使用状態における転写具の美観、格調を高められる。また、押下ボタン１５２の存在が外ケース２の外観デザインを制約することが避けられ、外観デザインの自由度が確保される。
【００７６】
前記相対移動が、前記外ケース２の前記転写具本体１に対する相対回転移動であるため、使用者個々人の好みに合わせて、転写具本体２に対する外ケース１の姿勢、角度または向きを変更して使用することができる。
【００７７】
加えて、使用者が前記押下ボタン１５２を押下するときに当該押下ボタン１５２が受ける操作力Ｐが、前記転写ヘッド１２５を備える前記転写具本体１の先端部の回転する方向Ｒに沿った分力を含むように、押下ボタン１５２が配置されていることから、転写具本体１の回転の制止を解除するべく押下ボタン１５２を押す方向Ｐと、転写具本体１を回転させるべくこれを押す方向Ｒとが近くなり、自然な操作で転写具本体１に対する外ケース２の姿勢、角度または向きを変更できる。
【００７８】
本実施形態の転写具においては、前記第一の使用状態にて、前記転写ヘッド１２５が転写対象面に対して押圧される反作用で前記転写具本体１に第一の使用状態から前記第二の使用状態に向かわせる方向の力が加わる。前記ロック機構は、その力によって前記転写具本体１が回転することを制止する。このため、転写具の使用時に転写具本体１が第一の使用状態の位置から非使用状態の位置に向かって回転しない、つまりは転写具の使用中に転写ヘッド１２５が外ケース２内に没入してしまうことがない。
【００７９】
使用者が前記押下ボタン１５２を押下するときに変形して弾性反発力を蓄えるばね１５が、前記転写具本体１における、前記転写テープ１２６を繰り出す繰出リール１２４と前記転写ヘッド１２５を経由した転写テープ１２６を巻き取る巻取リール１２３との間の空間を利用して配置されるため、スペースをとるばね１５を効率よく組み込むことができ、転写具本体１及び外ケース２の肥大化を抑制できる、即ち転写具のコンパクト化に資する。
【００８０】
さらに、本実施形態の転写具には、前記転写ヘッド１２５、前記繰出リール１２４及び前記巻取リール１２３を備えて前記転写具本体１を構成するリフィル１２を、前記外ケース２から離脱しないように係留する係留機構が設けられており、前記押下ボタン１５２が、使用者の手指により押下されることで前記係留機構による係留を解除して前記リフィル１２の前記外ケース２に対する着脱を許容するものとなっている。従って、外ケース２の転写具本体１に対する相対移動の制止を解除するための押下ボタン１５２と、リフィル１２の外ケース２への係留を解除するための押下ボタン１５２とが共通化し、部品点数が削減されるとともに、押下ボタン１５２の数が増すことによる分かりにくさを回避できる。
【００８１】
並びに、本実施形態では、転写物を転写テープ１２６から転写対象面に転写するための転写ヘッド１２５を備えた転写具本体１と、転写具本体１を収容する外ケース２とを具備し、外ケース２が転写具本体１に対して相対移動することで、転写具本体１の転写ヘッド１２５が外ケース２に覆われる非使用状態と、転写具本体１の転写ヘッド１２５が外ケース２外に露出する使用状態とをとり得る転写具であって、前記外ケース２が、第一ケース部材２１と、この第一ケース部材２１と重なり合い当該外ケース２が閉じた状態となる閉成姿勢と第一ケース部材２１から離反して当該外ケース２が開いた状態となる展開姿勢とをとり得る第二ケース部材２２とを備えており、前記閉成姿勢において隠蔽され前記展開姿勢において露出する、前記第二ケース部材２２の内面及び／または前記転写具本体１の外面に、当該転写具の使用方法または注意事項を表示するための表示領域２２１３、１２１３が設けられている転写具を構成した。
【００８２】
本実施形態によれば、外ケース２を開いて展開姿勢とすることで、転写具本体１の大半部ないし全域を露出させることができ、転写具本体１を構成するリフィル１２の脱着、交換作業が容易となる。
【００８３】
前記第二ケース部材２２は、前記ヒンジ２４により、当該第二ケース部材２２が前記第一ケース部材２１に対して相対的に閉成姿勢と展開姿勢との間で回動できるよう、第一ケース部材２１に連結されている。
【００８４】
そして、前記外ケース２が前記転写具本体１に対して所定の仮想平面（本実施形態にあっては、外ケース２が転写具本体１に対して非使用状態と使用状態との間で回転移動するときの回転軸に直交する面）に沿って相対移動するものであり、前記第二ケース部材２２が前記第一ケース部材２１に対して前記仮想平面と略平行な軸回りに回動するものであることから、展開姿勢において転写具本体１の大半部ないし全域を好適に露出させることができる。
【００８５】
以上説明した転写具において、転写ヘッド１２５に関連した部分は以下のような特殊構造をなしている。その構造について図２０〜図２９を参照して詳述する。
【００８６】
ここで、図２０は、リフィル部１２をベース部１１から取り外した状態で当該リフィル部１２の先端部分を真下から観察した部分底面図であり、前記リフィル部１２のフレーム１２０及び転写ヘッド１２５以外は図示を省略してある。図２１は、同部分を斜め後下側から見上げた部分斜視図である。図２２は、リフィル部１２をベース部１１から取り外した状態で当該ベース部１１の先端部分を真上から観察した部分平面図であり、前記ベース部１１のフレーム１１０以外は図示を省略してある。図２３は、同部分を斜め後上側から見下した部分斜視図である。図２４は、リフィル部１２をベース部１１に平行姿勢で接近させて組み付ける直前の状態を示す図１１相当の作用説明図であり、リフィル部１２及びベース部１１の各フレーム１２０、１１０及び転写ヘッド１２５以外は図示を省略してある。図２５は、図２４におけるＸ−Ｘ線に対応する概略端面図である。図２６は、リフィル部１２をベース部１１に組み付けた状態を示す図１１相当の作用説明図であり、リフィル部１２及びベース部１１の各フレーム１２０、１１０及び転写ヘッド１２５以外は図示を省略してある。図２７は、図２６におけるＹ−Ｙ線に対応する概略端面図である。図２８は、リフィル部１２をベース部１１から取り外す過程を示す図１１相当の作用説明図であり、リフィル部１２及びベース部１１の各フレーム１２０、１１０及び転写ヘッド１２５以外の別体部品は図示を省略してある。図２９は、図２８におけるＺ−Ｚ線に対応する概略端面図である。
【００８７】
この実施形態における転写具は、第１のフレームである前記リフィル部１２のフレーム１２０を、第２のフレームである前記ベース部１１のフレーム１１０に着脱可能に組み付けてなるリフィルタイプのものである。そして、前記リフィル部１２のフレーム１２０には、前記転写ヘッド１２５が固定して設けられているとともに、前記ベース部１１のフレーム１１０には、これら両フレーム１２０、１１０を組み付けた状態で前記転写ヘッド１２５を支持するヘッド支持部１１４が設けられており、前記転写ヘッド１２５及び前記ヘッド支持部１１４には、前記両フレーム１２０、１１０が平行状態で離反できないように係合状態を維持する誘導係合部４が設けられている。
【００８８】
詳述すれば、前記転写ヘッド１２５は、図１１、図２０、図２１及び図２４〜２９に示すように、板状をなす基部１２５１と、この基部１２５１の先端両側縁から前方に延出させた対をなすアーム１２５２と、これらアーム１２５２間に回転可能に架設されたローラー状をなすヘッド本体１２５３とを具備してなるもので、前記基部１２５１の一方の片半部分１２５８が前記リフィル部１２のフレーム１２０の先端部内面に設けられたヘッド固設部１２８に固定状態で取り付けられているとともに、前記基部１２５１の他方の片半部分１２５９が前記ベース部１１のフレーム１１０の先端部内面に設けられた前記ヘッド支持部１１４に着脱可能に支持されている。
【００８９】
具体的に説明すれば、前記転写ヘッド１２５の基部１２５１は、長方形状をなす板状のもので、リフィル側に位置する一方の片半部分１２５８の両側に断面矢尻状をなす係合爪１２５５が一体に突設されており、この一方の片半部分１２５８が前記リフィル部１２のフレーム１２０に設けられたヘッド固設部１２８にはめ殺し状態で嵌着されている。すなわち、ヘッド固設部１２８は、前記リフィル部１２のフレーム１２０から垂下して設けられた一対の固設壁１２８１と、これら固設壁１２８１の後端間を閉塞する奥壁１２８２とを備えたもので、前記両固設壁１２８１には上方に解放された切欠き１２８３がそれぞれ設けられている。そして、この切欠き１２８３に前記係合爪１２５５を部材の一時的な弾性変形を利用して係合させることにより、前記リフィル部１２のフレーム１２０に前記転写ヘッド１２５を固定している。一方、前記転写ヘッド１２５の基部１２５１における他方の片半部分１２５９は、その長手方向中央部における下端部分が下方に向かって漸次薄くなるような形態をなしており、その下端部分の両側に斜め下方を向く第１の装着用傾斜案内面１２５４が形成されている。また、この他方の片半部分１２５９には、前記誘導係合部４を構成する誘導溝１２５６が形成されている。この誘導溝１２５６は、中間が上方に膨出するように円弧状に湾曲したもので、その前端よりも後端１２５７が低い位置にある。
【００９０】
前記ヘッド支持部１１４は、図１１、図２２〜２９に示すように、ベース部１１のフレーム１１０の内面に一体に突設された一対の支持壁１１４１を備えたものである。これら支持壁１１４１は前後方向に伸びるもので、支持壁１１４１の前端間、後端間及び上端間はそれぞれ解放されている。すなわち、これら支持壁１１４１の間に形成されるヘッド挿入空間１１４９が前後に開通している。これら両支持壁１１４１の対向面には、前記誘導溝１２５６に係合し前記誘導係合部４を構成する係合突起１１４２が一体に突設されている。前記係合突起１１４２は、前記誘導溝１２５６内に全体的に進入する前半部１１４３と、この前半部１１４３に連続する後半部１１４４とを備えたものであり、前記後半部１１４４は、後方に向かって漸次突出寸法が小さくなるように形成されている。具体的に説明すれば、前記係合突起１１４２の前半部１１４３は、その全体が前記誘導溝１２５６内に十分に進入しうる突出寸法を有した断面矢尻状のもので、その上縁側に、斜め上方を向く第２の装着用傾斜案内面１１４５が形成されている。前記係合突起１１４２の後半部１１４４は、その突出高さが後方に向かって漸次小さくなるクサビ形状をなすものであり、その後端は前記支持壁１１４１の対向面に連続している。しかしてこの後半部には、図２２及び図２３に示すように、斜め後方を向く離脱用傾斜案内面１１４６が形成されている。
【００９１】
なお、この実施形態における「上下」とは、図２４〜図２９における上下方向を示すものである。すなわち、「上」とはリフィル部１２側、「下」とはベース部１１側をそれぞれ示す。また、「前後」とは、図２０、図２２、図２４、図２６及び図２８における左右方向を示すものであり、転写ヘッド１２５が存在する側を「前」として説明している。
【００９２】
ここで、前記リフィル部１２を前記ベース部１１に対して装脱する際の転写ヘッド１２５関連部分の係脱関係を説明する。
【００９３】
まず、図１１、図２４及び図２５に示す状態すなわちリフィル部１２をベース部１１から離脱させた状態では、リフィル部１２のフレーム１２０に設けられたヘッド固設部１２８に転写ヘッド１２５の基部１２５１における一方の片半部分１２５８が装着固定されており、他方の片半部分１２５９はベース部１１のヘッド支持部１１４から離れている。
【００９４】
この状態からリフィル部１２をベース部１１に平行姿勢を保ったまま接近させていくと、転写ヘッド１２５の他方の片半部分１２５９の下端部分が前記ベース部１１のヘッド支持部１１４における支持壁１１４１の間に形成された前記ヘッド挿入空間１１４９に進入し、基部１２５１の第１の装着用傾斜案内面１２５４が前記支持壁１１４１の係合突起１１４２に設けられた第２の装着用傾斜案内面１１４５に当接する。この段階で前記リフィル部１２を前記ベース部１１にさらに押しつけると、前記両装着用傾斜案内面１２５４、１１４５の案内作用により前記支持壁１１４１が一時的に離間する方向に弾性変形し、それら支持壁１１４１に設けられた係合突起１１４２が前記基部１２５１に設けられた前記誘導溝１２５６に係合する。図２６及び図２７は、この係合状態を示している。この係合状態に達した段階で、ベース部１１の係留爪１５６がリフィル部１２の被係留部１２９に係合するとともに、リフィル部１２側の前記係合片１２７がベース部１１側の被係合部１１５に係合して、リフィル部１２のベース部１１に対する装着が完了する。このとき、誘導係合部４の前記誘導溝１２５６と前記係合突起１１４２とが係合しているので、リフィル部１２がベース部１１から平行状態を保ったまま離間することが禁止される。
【００９５】
前記リフィル部１２を前記ベース部１１から取り外す場合には、まず、前記押下ボタン１５２を押圧して前記係留部の係留状態を解除するとともに、リフィル部１２の後端側をベース部１１の後端側から離れるように引き上げて、前記係合片１２７の前記被係合部１１５に対する弾性係合を解除することにより、前記リフィル部１２の後端側を前記ベース部１１の後端側から若干浮き上がらせる。この段階からリフィル部１２の後端部をさらにベース部１１の後端部から離反させるように操作すると、転写ヘッド１２５付近を支点にして前記リフィル部１２が前記ベース部１１に対して相対的に回動し、最終的に誘導係合部４による係合状態も解除されてリフィル部１２をベース部１１から取り外すことができる。すなわち、前記リフィル部１２を前記ベース部１１に対して相対的に回動させると、前記係合突起１１４２が前記誘導溝１２５６に沿って後方に相対移動する。そして、図２８及び図２９に示すように、誘導溝１２５６の後端１２５７が係合突起１１４２の後半部１１４４の前記離脱用傾斜案内面１１４６に乗り上げ、この離脱用傾斜案内面１１４６の案内作用により前記支持壁１１４１が一時的に離間する方向に弾性変形する。そして、誘導溝１２５６の後端１２５７が係合突起１１４２の前半部１１４３に乗り上げると、前記係合突起１１４２間の間隔が前記転写ヘッド１２５の基部１２５１の厚み寸法と等しくなって誘導係合部４による係合状態が解除され、前記リフィル部１２を前記ベース部１１から取り外すことができるようになる。
【００９６】
このように、本実施形態によれば、リフィル部１２のフレーム１２０の先端部とベース部１１のフレーム１１０の先端部とが、使用状態においては転写ヘッド１２５を介して結合されリフィル部１２がベース部１１に対して平行姿勢を保ったまま離間することが禁止される。そのため、把持態様に関わらず、リフィル部１２の先端部とベース部１１の先端部との間に隙間が生じるのを効果的に防止又は抑制するための把持部の態様に関する設計の自由度を向上させることができる。一般に、係留機構等を転写具本体１の先端部に設けることはスペース的に難しいため、転写具本体１の先端部に隙間が生じるのを転写ヘッド１２５を利用して防止又は抑制することができるのは有意義なことである。
【００９７】
そして、本実施形態によれば、転写具本体１の先端部に隙間が生じるのを禁止しても、前述したようにリフィル部１２をベース部１１に対して相対回動させるだけで当該リフィル部１２を離脱させることができるため、リフィル部１２の交換に支障が生じることがない。すなわち、本実施形態の構成によれば、構造の複雑化を招く不具合や、リフィル部１２の挿脱が難しくなるという不具合を招くことなしに、使用中にリフィル部１２とベース部１１との間に隙間が生じるという課題を解消することができる。
【００９８】
また、このような構成によれば、転写ヘッド１２５の後端部分を支持するための支持要素を省略でき、省スペースを図りつつ上述したような効果を実現できる。
【００９９】
なお、以上説明した実施形態では、本発明をリフィルタイプの転写具に適用した場合について説明したが、本発明は、必ずしもこのようなものに限られず、非リフィルタイプの転写具にも同様に適用が可能である。すなわち、本発明は、転写ヘッドが設けられた前記第１のフレームと、この第１のフレームに着脱可能に組み付けられる前記第２のフレームとを備え、前記第２のフレームを離脱させた上で前記第１のフレームに対して転写テープを巻装したリールを挿脱しうるように構成された転写具にも同様に適用することができる。
【０１００】
また、リフィルタイプの転写具であっても、上述した実施形態のように転写具本体全体を覆うような外ケースを有するものに限らず、転写ヘッドのみを覆うケースを有するもの等であってもよい。
【０１０１】
さらに、前記実施形態では、誘導係合部がリフィル部のフレームとベース部のフレームとの相対回動により係合状態が解除されるようなものについて説明したが、例えば、リフィル部をベース部に対して離間方向以外の方向へのスライド移動等により係合状態が解除されるようにしてもよい。
【０１０２】
加えて、前記実施形態では、誘導係合部が転写ヘッドの基部に設けられた誘導溝と支持壁の内面側に設けられた係合突起とを備えた構成のものについて説明したが、例えば、誘導係合部が転写ヘッドの基部に設けられた係合突起と支持壁の内面側に設けられた誘導溝とを備えた構成のもの等を採用してもよい。
【０１０３】
その他、各部の具体的構成は、本発明の趣旨を逸脱しない範囲で種々変形が可能である。
【産業上の利用可能性】
【０１０４】
本発明は、転写物を転写対象面に転写するために使用される転写具に適用できる。
【符号の説明】
【０１０５】
１…転写具本体
１１…ベース部
１１０…第２のフレーム（ベース部のフレーム）
１１４…ヘッド支持部
１１４１…支持壁
１１４２…係合突起
１２…リフィル部
１２０…第１のフレーム（リフィル部のフレーム）
１２５…転写ヘッド
１２５１…転写ヘッドの基部
１２５６…誘導溝
２…外ケース
４…誘導係合部
【図１】
2019119159.tif 000003
【図２】
2019119159.tif 000004
【図３】
2019119159.tif 000005
【図４】
2019119159.tif 000006
【図５】
2019119159.tif 000007
【図６】
2019119159.tif 000008
【図７】
2019119159.tif 000009
【図８】
2019119159.tif 000010
【図９】
2019119159.tif 000011
【図１０】
2019119159.tif 000012
【図１１】
2019119159.tif 000013
【図１２】
2019119159.tif 000014
【図１３】
2019119159.tif 000015
【図１４】
2019119159.tif 000016
【図１５】
2019119159.tif 000017
【図１６】
2019119159.tif 000018
【図１７】
2019119159.tif 000019
【図１８】
2019119159.tif 000020
【図１９】
2019119159.tif 000021
【図２０】
2019119159.tif 000022
【図２１】
2019119159.tif 000023
【図２２】
2019119159.tif 000024
【図２３】
2019119159.tif 000025
【図２４】
2019119159.tif 000026
【図２５】
2019119159.tif 000027
【図２６】
2019119159.tif 000028
【図２７】
2019119159.tif 000029
【図２８】
2019119159.tif 000030
【図２９】
2019119159.tif 000031